(57)【特許請求の範囲】
【請求項１】
列方向に延伸する等電位化電極部、及び前記等電位化電極部から前記列方向に垂直な行方向に延伸する複数のストライプ状の電極片を前記列方向にそれぞれ周期的に配列した複数の周期電極部を有する分極反転用電極を、強誘電体結晶基板の分極方向と垂直な＋Ｃ面及び−Ｃ面の一方である周期電極面に形成するステップと、
前記強誘電体結晶基板の＋Ｃ面及び−Ｃ面の他方であるベタ電極面に、少なくとも前記複数の周期電極部の配置された領域と対向する前記ベタ電極面の領域をすべて覆うように平面電極を形成するステップと、
前記分極反転用電極と前記平面電極間に電圧を印加して、前記複数の周期電極部の下方の前記強誘電体結晶基板に分極反転構造を生じさせるステップと
を含み、前記周期電極面の面法線方向から見た前記電極片と前記等電位化電極部との接続部分と前記平面電極の外縁部との前記行方向に沿った距離が０．１ｍｍ以上であるように前記分極反転用電極と前記平面電極を形成することを特徴とする周期的分極反転構造の形成方法。
【請求項２】
前記等電位化電極部の前記複数の周期電極部をそれぞれ取り囲む周辺領域に対向する領域で前記ベタ電極面を覆うように、前記平面電極を形成することを特徴とする請求項１に記載の周期的分極反転構造の形成方法。
【請求項３】
前記平面電極を、前記複数の周期電極部のそれぞれ配置された領域と対向する前記ベタ電極面の複数の領域に渡って連続的に形成することを特徴とする請求項１又は２に記載の周期的分極反転構造の形成方法。
【請求項４】
前記複数のストライプ状の電極片それぞれの両端部を前記等電位化電極部に接続させるように前記分極反転用電極を形成することを特徴とする請求項１乃至３のいずれか１項に記載の周期的分極反転構造の形成方法。
【請求項５】
強誘電体結晶基板の分極方向と垂直な＋Ｃ面及び−Ｃ面の一方である周期電極面に配置された、列方向に延伸する等電位化電極部、及び前記等電位化電極部から前記列方向に垂直な行方向に延伸する複数のストライプ状の電極片を前記列方向にそれぞれ周期的に配列した複数の周期電極部を有する分極反転用電極と、前記強誘電体結晶基板の＋Ｃ面及び−Ｃ面の他方であるベタ電極面に、少なくとも前記複数の周期電極部の配置された領域と対向する前記ベタ電極面の領域をすべて覆うように配置された平面電極とを備え、前記周期電極面の面法線方向から見た前記電極片と前記等電位化電極部との接続部分と前記平面電極の外縁部との前記行方向に沿った距離が０．１ｍｍ以上であることを特徴とする周期的分極反転用電極。
【請求項６】
前記平面電極が、前記等電位化電極部の前記複数の周期電極部をそれぞれ取り囲む周辺領域に対向する領域で前記ベタ電極面を覆うように配置されていることを特徴とする請求項５に記載の周期的分極反転用電極。
【請求項７】
前記平面電極が、前記複数の周期電極部のそれぞれ配置された領域と対向する前記ベタ電極面の複数の領域に渡って連続的に配置されていることを特徴とする請求項５又は６に記載の周期的分極反転用電極。
【請求項８】
前記複数のストライプ状の電極片それぞれの両端部が前記等電位化電極部に接続していることを特徴とする請求項５乃至７のいずれか１項に記載の周期的分極反転用電極。
【発明の詳細な説明】
【技術分野】
【０００１】
本発明は、強誘電体結晶基板を用いた周期的分極反転構造の形成方法及び周期的分極反転用電極に関する。
【背景技術】
【０００２】
所望の波長のレーザ光を得るためなどに使用される波長変換素子として、強誘電体結晶基板内部で分極方向が周期的に反転する周期的分極反転構造を形成した周期的分極反転素子が用いられている。例えば、周期的分極反転素子は、入射するレーザ光と擬似位相整合することによって、２次高調波である波長のレーザ光を出力することができる。このため、周期的分極反転素子は、擬似位相整合（ＱＰＭ）型の波長変換素子として使用される。
【０００３】
周期的分極反転構造の形成には、強誘電体結晶基板の±Ｃ面にそれぞれ形成した電極間に電界を印加することによって自発分極方向を反転させる方法がある（例えば特許文献１参照。）。形成される周期的分極反転構造や領域は、±Ｃ面に配置する電極形状によって決定される。一般的には、±Ｃ面に配置する電極は金属を成膜して形成される。＋Ｃ面に配置する金属電極は、一定の周期で配置される周期電極部とその周期電極部を均一な電位を保つための等電位化電極部からなる。−Ｃ面に配置される金属はベタ電極（平面電極）として形成される。
【先行技術文献】
【特許文献】
【０００４】
【特許文献１】特開２００５−２０８１９７号公報
【発明の概要】
【発明が解決しようとする課題】
【０００５】
強誘電体結晶基板内の複数箇所に周期的分極反転領域を形成する場合や、周期が異なる複数の周期的分極反転領域を区分けして形成する場合においては、複数の周期的分極反転領域で共通の等電位化電極部と、所望の周期・面積の数パターンの周期電極部を強誘電体結晶基板の＋Ｃ面又は−Ｃ面の一方に形成する。そして、＋Ｃ面又は−Ｃ面の他方には、複数の周期的分極反転領域それぞれと対向する領域に周期電極部毎に区分けされた複数のベタ電極を形成する。
【０００６】
しかしながら、周期電極部の端部の直下それぞれに対応するベタ電極が配置されていない場合に、周期電極部とベタ電極間に発生させた電界によって形成される周期的分極反転領域の端部の形状が均一に揃わないという問題が生じる。
【０００７】
上記問題点に鑑み、本発明は、均一な形状の分極反転構造が形成される周期的分極反転構造の形成方法及び周期的分極反転用電極を提供することを目的とする。
【課題を解決するための手段】
【０００８】
本発明の一態様によれば、（イ）列方向に延伸する等電位化電極部、及び等電位化電極部から列方向に垂直な行方向に延伸する複数のストライプ状の電極片を列方向にそれぞれ周期的に配列した複数の周期電極部を有する分極反転用電極を、強誘電体結晶基板の分極方向と垂直な＋Ｃ面及び−Ｃ面の一方である周期電極面に形成するステップと、（ロ）強誘電体結晶基板の＋Ｃ面及び−Ｃ面の他方であるベタ電極面に、少なくとも複数の周期電極部の配置された領域と対向するベタ電極面の領域をすべて覆うように平面電極を形成するステップと、（ハ）分極反転用電極と平面電極間に電圧を印加して、複数の周期電極部の下方の強誘電体結晶基板に分極反転構造を生じさせるステップとを含み、周期電極面の面法線方向から見た電極片と等電位化電極部との接続部分と平面電極の外縁部との行方向に沿った距離が０．１ｍｍ以上であるように分極反転用電極と平面電極を形成する周期的分極反転構造の形成方法が提供される。
【０００９】
本発明の他の態様によれば、（イ）強誘電体結晶基板の分極方向と垂直な＋Ｃ面及び−Ｃ面の一方である周期電極面に配置された、列方向に延伸する等電位化電極部、及び等電位化電極部から列方向に垂直な行方向に延伸する複数のストライプ状の電極片を列方向にそれぞれ周期的に配列した複数の周期電極部を有する分極反転用電極と、（ロ）強誘電体結晶基板の＋Ｃ面及び−Ｃ面の他方であるベタ電極面に、少なくとも複数の周期電極部の配置された領域と対向するベタ電極面の領域をすべて覆うように配置された平面電極とを備え、周期電極面の面法線方向から見た電極片と等電位化電極部との接続部分と平面電極の外縁部との行方向に沿った距離が０．１ｍｍ以上である周期的分極反転用電極が提供される。
【発明の効果】
【００１０】
本発明によれば、均一な形状の分極反転構造が形成される周期的分極反転構造の形成方法及び周期的分極反転用電極を提供できる。
【図面の簡単な説明】
【００１１】
【図１】本発明の実施形態に係る周期的分極反転用電極の構成を示す模式的な平面図である。
【図２】図１のＩＩ−ＩＩ方向に沿った断面図である。
【図３】本発明の実施形態に係る反転用電極を用いて分極反転させた後の＋Ｃ面方向から見た状態を示す写真である。
【図４】本発明の実施形態に係る反転用電極を用いて分極反転させた後の＋Ｃ面方向から見た分極反転領域の端部の状態を示す写真である。
【図５】比較例の反転用電極の構成を示す模式的な断面図である。
【図６】比較例の反転用電極の構成を示す模式的な平面図である。
【図７】比較例の反転用電極を用いて分極反転させた後の＋Ｃ面方向から見た状態を示す写真である。
【図８】本発明の実施形態の変形例に係る周期的分極反転用電極の構成を示す模式的な平面図である。
【図９】本発明の実施形態の他の変形例に係る周期的分極反転用電極の構成を示す模式的な平面図である。
【発明を実施するための形態】
【００１２】
図面を参照して、本発明の実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１３】
又、以下に示す実施形態は、この発明の技術的思想を具体化するための装置や方法を例示するものであって、この発明の実施形態は、構成部品の材質、形状、構造、配置などを下記のものに特定するものでない。この発明の実施形態は、特許請求の範囲において、種々の変更を加えることができる。
【００１４】
本発明の実施形態に係る周期的分極反転用電極は、図１及び図２に示すように、単一分極化されたＣ板の強誘電体結晶基板２０の分極方向と垂直な＋Ｃ面である周期電極面２０１に配置された分極反転用電極１０と、強誘電体結晶基板２０の−Ｃ面であるベタ電極面２０２に配置された平面電極３０とを備える。なお、図１では分極反転用電極１０が＋Ｃ面に配置され、平面電極３０が−Ｃ面に配置された場合を例示的に示したが、分極反転用電極１０を−Ｃ面に配置し、平面電極３０を＋Ｃ面に配置してもよい。
【００１５】
分極反転用電極１０は、列方向に延伸する等電位化電極部１００、及び等電位化電極部１００から列方向に垂直な行方向に延伸する複数のストライプ状の電極片を列方向にそれぞれ周期的に配列した複数の周期電極部を備える。図１に示した例では、分極反転用電極１０が第１の周期電極部１１及び第２の周期電極部１２を備える。ただし、３つ以上の周期電極部を有するように分極反転用電極１０を周期電極面２０１上に形成してもよい。
【００１６】
分極反転用電極１０直下の、強誘電体結晶基板２０の分極反転用電極１０と平面電極３０に挟まれた領域が、分極反転される領域である。以下では、図１に示すように、等電位化電極部１００が延伸する列方向が強誘電体結晶基板２０のＸ軸方向であり、電極片１１０、１２０が延伸する行方向がＹ軸方向であるとする。これは、Ｘ軸方向に比べてＹ軸方向の方が分極反転が広がりやすく、Ｃ面における分極反転領域の長手方向をＹ軸方向にすることが製造工程的に好ましいためである。
【００１７】
第１の周期電極部１１は、互いに離間して強誘電体結晶基板２０のＹ軸方向と平行に延伸し、且つＸ軸方向に周期的に配列された複数のストライプ状の電極片１１０を有する。電極片１１０は、パターン周期Ｔ１で配置される。また、第２の周期電極部１２は、互いに離間してＹ軸方向と平行に延伸し、且つＸ軸方向に周期的に配列された複数のストライプ状の電極片１２０を有する。電極片１２０は、パターン周期Ｔ２で配置される。
【００１８】
隣接する電極片１１０の相互間、及び隣接する電極片１２０の相互間は、分極反転用電極１０に設けられた開口部１０１によって分離されている。また、電極片１１０と電極片１２０の両端はそれぞれ等電位化電極部１００に接続されている。つまり、第１の周期電極部１１及び第２の周期電極部１２は梯子形状であり、電極片１１０及び電極片１２０は梯子形状の横木に相当する。
【００１９】
平面電極３０は、周期電極面２０１の少なくとも周期電極部の配置された領域と対向するベタ電極面２０２の領域をすべて覆うように、ベタ電極面２０２に配置される。図１では、強誘電体結晶基板２０を透過して平面電極３０の外周を破線で示している。図１に示した平面電極３０は、第１、第２の周期電極部１１、１２のそれぞれ配置された領域と対向するベタ電極面２０２の複数の領域に渡って連続して配置されている。つまり、ベタ電極面２０２の全面に渡って平面電極３０が配置されている。
【００２０】
図２に示すように分極反転用電極１０と平面電極３０間に電圧Ｖを印加することによって、強誘電体結晶基板２０の分極反転用電極１０と平面電極３０とで挟まれた領域が分極反転する。電圧Ｖの大きさは、強誘電体結晶基板２０を分極反転するのに必要な抗電界に応じて設定される。
【００２１】
このため、電極片１１０の幅、及び隣接する電極片１１０間の間隔（開口部１０１の幅）は、第１の周期電極部１１によって分極反転させる領域の範囲に応じて設定される。つまり、分極反転させる領域の幅を電極片１１０の幅とし、分極反転させない領域の幅を電極片１１０間の間隔とする。これに基づいてパターン周期Ｔ１は決定される。
【００２２】
同様に、第２の周期電極部１２によって分極反転させる領域の幅を電極片１２０の幅とし、分極反転させない領域の幅を電極片１２０間の間隔とする。これに基づいてパターン周期Ｔ２は決定される。
【００２３】
例えば、周期的分極反転素子を擬似位相整合（ＱＰＭ）型の波長変換素子として使用する場合は、波長変換素子に入射されるレーザ光の波長及び出力されるレーザ光の波長に応じて、強誘電体結晶基板２０の分極反転させる領域の幅及び間隔が適宜設定される。例えば、第１の周期パターンＴ１を８μｍにし、第２の周期パターンＴ２を５．５μｍにできる。なお、第１の周期パターンＴ１と第２の周期パターンＴ２が同一周期であってもよい。このように、図１に示した分極反転用電極を用いることにより、１つの強誘電体結晶基板２０に複数の周期的分極反転構造を形成できる。
【００２４】
強誘電体結晶基板２０は、例えばタンタル酸リチウム（ＬＴ）単結晶やニオブ酸リチウム（ＬＮ）単結晶などからなる。強誘電体結晶基板２０の厚みは、例えば０．４〜１ｍｍ程度である。
【００２５】
強誘電体結晶基板２０に採用するタンタル酸リチウム単結晶やニオブ酸リチウム単結晶は、コングルエント組成（一致溶融組成）又はストイキオメトリ組成（化学量論的組成）のものが用いられる。例えば、タンタル酸リチウムの場合、ストイキオメトリ組成にすることによって、抗電界が１０分の１程度になる。つまり、印加電圧を１０分の１にすることができる。
【００２６】
また、タンタル酸リチウム単結晶やニオブ酸リチウム単結晶からなる強誘電体結晶基板２０に、マグネシウム（Ｍｇ）や亜鉛（Ｚｎ）、スカンジウム（Ｓｃ）、インジウム（Ｉｎ）などが添加されていてもよい。これにより、耐光損傷性を高めることができる。また、ニオブ酸リチウムの場合、Ｍｇを５モル％程度添加することにより、抗電界を４分の１程度に減少することができる。これにより、印加電圧を４分の１程度にすることができる。
【００２７】
分極反転用電極１０には、例えばタンタル（Ｔａ）膜やアルミニウム（Ａｌ）膜などが採用可能である。他にも、金（Ａｕ）膜、銀（Ａｇ）膜、クロム（Ｃｒ）膜、銅（Ｃｕ）膜、ニッケル（Ｎｉ）膜、ニッケルクロム合金（Ｎｉ-Ｃｒ）膜、パラジウム（Ｐｄ）膜、モリブデン（Ｍｏ）膜、タングステン（Ｗ）膜なども使用可能である。
【００２８】
分極反転用電極１０は、例えば、強誘電体結晶基板２０の周期電極面２０１上に形成されたＴａ膜をフォトリソグラフィ技術とエッチング工程を用いてパターニングすることにより形成される。
【００２９】
平面電極３０には、例えばＴａ膜やＡｌ膜などが採用可能である。平面電極３０は、強誘電体結晶基板２０のベタ電極面２０２上に一様に形成される。平面電極３０をベタ電極面２０２の全面に配置して使用する場合には、金属電極のパターニングが不要である。このため、塩化リチウム（ＬｉＣｌ）電解液などの液体電極を平面電極３０として使用可能である。
【００３０】
以下に、分極反転用電極１０を用いた周期的分極反転構造の形成について説明する。
【００３１】
図２に示すように、強誘電体結晶基板２０の周期電極面２０１上に配置された分極反転用電極１０とベタ電極面２０２上に配置された平面電極３０との間に、強誘電体結晶基板２０の抗電界に応じて大きさが設定される電圧Ｖを印加する。例えば、分極反転用電極１０と平面電極３０を形成した強誘電体結晶基板２０を絶縁油に浸漬した状態（或いは、真空雰囲気、絶縁体を周期電極上部に配置した場合には大気雰囲気）で、分極反転用電極１０と平面電極３０間に直流電圧０．４ｋＶを１秒以上印加する。これにより、第１、第２の周期電極部１１、１２直下の強誘電体結晶基板２０において、周期電極面２０１からベタ電極面２０２まで基板厚全体にわたり均一に分極反転する。
【００３２】
ベタ電極面２０２上の、電極片１１０、１２０の端部が配置された領域に対向する領域を覆うように平面電極３０は配置されている。このため、電圧Ｖを印加した状態において強誘電体結晶基板２０に発生する電界は、電極片１１０、１２０の端部まで均一である。したがって、図１に示した周期的分極反転用電極によれば、電極片１１０、１２０の端部まで均一な形状の分極反転構造が周期的に形成される。つまり、均一な分極反転領域と非分極反転領域とを交互に周期的に備えた複数の周期的分極反転構造が、強誘電体結晶基板２０に形成される。
【００３３】
その後、強誘電体結晶基板２０から分極反転用電極１０及び平面電極３０を剥離し、不要な部分を切断除去することによって周期的分極反転構造が形成された領域のみが残るように強誘電体結晶基板２０を成形してもよい。このようにして製造された周期的分極反転素子によれば、例えば周期的分極反転素子に入射するレーザ光と擬似位相整合することによって２次高調波である波長のレーザ光を出力できる。
【００３４】
なお、第１及び第２の周期電極部１１、１２をパターニングした後に、レジスト膜や酸化シリコン（ＳｉＯ2）膜、窒化シリコン（Ｓｉ3Ｎ4）膜、酸化タンタル（Ｔａ2Ｏ5）膜などを、絶縁体として開口部１０１に形成してもよい。
【００３５】
図３及び図４に、上記の周期的分極反転構造の形成方法を用いて試作した周期的分極反転構造の例を示す。試作に使用した強誘電体結晶基板２０は、Ｌｉ2Ｏ／（Ｔａ2Ｏ5＋Ｌｉ2Ｏ）のモル分率が０．４９５以上０．５０５未満であり、且つＭｇＯをドープした、単一分極されたＣ板の定比組成又は定比組成に近いタンタル酸リチウム単結晶からなる。強誘電体結晶基板２０の厚みは０．４μｍである。
【００３６】
図３及び図４は、強誘電体結晶基板２０における分極反転領域と非分極反転領域のエッチングレートが異なることを利用して、＋Ｃ面である周期電極面２０１をエッチングして分極反転領域と非分極反転領域を示したものである。図３及び図４では、エッチングレートの高い分極反転領域が凹部になり、エッチングレートの低い非分極反転領域が凸部になっている。
【００３７】
図３、図４に示すように、分極反転領域の先端部分まで均一な形状の分極反転構造が形成されている。
【００３８】
実施形態に係る周期的分極反転構造の形成方法との比較のため、図５、図６に示すような平面電極３０Ａを用いて周期的分極反転構造を形成する場合を検討する。平面電極３０Ａは、等電位化電極部１００により囲まれた領域よりも内側の領域に対向する領域においてのみベタ電極面２０２に配置されている。図５は、図６のＶ−Ｖ方向に沿った断面図である。平面電極３０Ａとして、第１及び第２の周期電極部１１、１２が配置された周期電極面２０１の領域に対向するベタ電極面２０２に電極３１、３２がそれぞれ配置されているが、電極片１１０、１２０の長手方向の両端部の直下には平面電極３０Ａが配置されていない。
【００３９】
平面電極３０Ａを用いて強誘電体結晶基板２０に電圧を印加した場合は、電極片１１０、１２０の端部において強誘電体結晶基板２０内に発生する電界が集中する。つまり、第１及び第２の周期電極部１１、１２と等電位化電極部１００との境界では電界の向きがＣ面に対して垂直ではなく、このため電極片１１０、１２０の下方全体に渡って均一な電界を発生させることができない。したがって、強誘電体結晶基板２０に均一な形状の分極反転構造が形成されない。その結果、図７の領域Ｄに示すようにX・Ｙ軸方向へ分極反転の広がりが生じ、特にＹ軸方向で分極反転先端部分が揃わない、不均一な形状の分極反転構造が形成される。
【００４０】
なお、図１に示した周期的分極反転用電極を用いて分極反転領域の端部における電界を均一にするためには、電極片１１０、１２０に接続する部分を含めて、第１及び第２の周期電極部１１、１２に隣接する等電位化電極部１００の周辺領域の下方にも平面電極３０が配置されていることが好ましい。これにより、電極片１１０、１２０の先端部分における電界の集中がより抑制され、電極片１１０、１２０の下方において電界が均一になる。このため、図１に示した平面電極３０は、等電位化電極部１００の第１及び第２の周期電極部１１、１２をそれぞれ取り囲む周辺領域と対向する領域でベタ電極面２０２を覆うように配置されている。対向する領域に平面電極３０が配置されている領域の等電位化電極部１００の下方においても、電極片１１０、１２０の下方と同様に分極反転構造が形成される。
【００４１】
図１に距離ｄで示した、Ｃ面の面法線方向から見た電極片１１０、１２０と等電位化電極部１００との接続部分と平面電極３０の外縁部との距離は、例えば０．１ｍｍ程度以上であることが好ましい。
【００４３】
図７に示したように、第１及び第２の周期電極部１１、１２のパターン通りに分極反転構造が形成されない場合、この分極反転構造を用いた周期的分極反転素子に所望の特性が得られない。
【００４４】
これに対し、本発明の実施形態に係る周期的分極反転用電極を用いることにより、周期的分極反転領域の全域、或いは周期的分極反転領域の周辺部も含めて、強誘電体結晶基板２０の極性を反転させることができる。これにより、第１及び第２の周期電極部１１、１２で定義される分極反転領域の端部まで均一な電界が生成される。その結果、図１に示した周期的分極反転用電極を用いた周期的分極反転構造の形成方法によれば、分極反転領域の形状が均一な周期的分極反転構造を形成することができる。
【００４５】
＜第１の変形例＞
図１では、ベタ電極面２０２の全面に渡って１つの平面電極３０が配置されている例を示した。具体的には、第１及び第２の周期電極部１１、１２のそれぞれ配置された領域と対向するベタ電極面２０２の複数の領域に渡って、平面電極３０が連続して配置されている。しかし、図８に示すように、第１及び第２の周期電極部１１、１２のそれぞれ配置された領域と対向するベタ電極面２０２の領域ごとに、２つの平面電極３０を離間して配置してもよい。この場合も、電極片１１０、１２０の端部よりも外側に等電位化電極部１００の外縁部が位置するように、平面電極３０を形成する。なお、ベタ電極面２０２に形成したＴａ膜などの金属膜をフォトリソグラフィ技術とエッチング工程を用いてパターニングすることにより、複数の周期電極部ごとに区分けされた平面電極３０を形成できる。
【００４６】
＜第２の変形例＞
上記の説明では、第１の周期電極部１１及び第２の周期電極部１２が梯子形状である場合を示した。しかし、第１の周期電極部１１及び第２の周期電極部１２は梯子形状に限られることはなく、櫛型形状などであってもよい。例えば図９に示すように、Ｘ軸方向に延伸する１つの等電位化電極部１００を共通の櫛の柄として、第１の周期電極部１１の電極片１１０、及び第２の周期電極部１２の電極片１２０を櫛の歯として、分極反転用電極１０を構成することができる。
【００４７】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。
【００４８】
上記の説明では、第１の周期電極部１１のパターン周期Ｔ１と第２の周期電極部１２のパターン周期Ｔ２とが異なる例を示したが、パターン周期Ｔ１とパターン周期Ｔ２が同一でもよい。また、１つの分極反転用電極１０に含まれる周期電極部の個数が３以上であってもよい。
【００４９】
このように、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００５０】
１０…分極反転用電極
１１…第１の周期電極部
１２…第２の周期電極部
２０…強誘電体結晶基板
３０…平面電極
１００…等電位化電極部
１０１…開口部
１１０…電極片
１２０…電極片
２０１…周期電極面
２０２…ベタ電極面
【図１】
0006002390.tif 000002
【図２】
0006002390.tif 000003
【図３】
0006002390.tif 000004
【図４】
0006002390.tif 000005
【図５】
0006002390.tif 000006
【図６】
0006002390.tif 000007
【図７】
0006002390.tif 000008
【図８】
0006002390.tif 000009
【図９】
0006002390.tif 000010